(57)【特許請求の範囲】
【請求項１】
被写体像を撮像して画像データを生成する撮像部と、
予め設定された撮影枚数分、前記撮像部が、予め設定された撮影間隔毎に前記画像データを生成する画像撮影動作を制御する制御部と、
前記画像撮影動作の設定に関するユーザの操作を受け付ける操作部とを備え、
前記制御部は、
前記操作部において、前記画像撮影動作の撮影結果から作成される動画のフレームレートと、前記動画が再生される動画期間と、前記画像撮影動作が行われる撮影期間とを入力するユーザ操作を受け付け、
前記ユーザ操作によって入力された情報に基づいて、前記撮影枚数及び前記撮影間隔を設定して前記画像撮影動作を制御し、
前記撮影枚数は、前記ユーザ操作によって入力された情報における前記動画のフレームレートと前記動画期間との乗算により算出され、
前記撮影間隔は、前記ユーザ操作によって入力された情報における前記動画のフレームレート、前記動画期間及び前記撮影期間から算出され、
前記制御部は、前記算出される撮影間隔に端数がある場合、前記撮影間隔の端数に応じて前記撮影期間を補正する
撮像装置。
【請求項２】
被写体像を撮像して画像データを生成する撮像部と、
予め設定された撮影枚数分、前記撮像部が、予め設定された撮影間隔毎に前記画像データを生成する画像撮影動作を制御する制御部と、
前記画像撮影動作の設定に関するユーザの操作を受け付ける操作部とを備え、
前記制御部は、
前記操作部において、前記画像撮影動作の撮影結果から作成される動画のフレームレートと、前記動画が再生される動画期間と、前記画像撮影動作が行われる撮影期間とを入力するユーザ操作を受け付け、
前記ユーザ操作によって入力された情報に基づいて、前記撮影枚数及び前記撮影間隔を設定して前記画像撮影動作を制御し、
前記撮影枚数は、前記ユーザ操作によって入力された情報における前記動画のフレームレートと前記動画期間との乗算により算出され、
前記撮影間隔は、前記ユーザ操作によって入力された情報における前記動画のフレームレート、前記動画期間及び前記撮影期間から算出され、
前記制御部は、前記算出される撮影間隔に端数がある場合、前記撮影間隔の端数に応じて前記撮影枚数を補正する
撮像装置。
【請求項３】
前記操作部は、ユーザ操作により前記撮影枚数および前記撮影間隔を設定する設定部を含み、
前記制御部は、前記動画のフレームレートと、前記動画期間と、前記撮影期間又は前記撮影間隔とを入力するユーザ操作を受け付けると、前記ユーザ操作によって入力された情報を、前記設定部の設定に反映する
請求項１又は２に記載の撮像装置。
【請求項４】
情報を表示する表示部をさらに備え、
前記制御部は、前記動画のフレームレートと、前記動画期間と、前記撮影期間又は前記撮影間隔とを入力するユーザ操作を受け付けると、前記ユーザ操作によって入力された情報から算出される撮影枚数及び撮影期間を、前記表示部に表示させる
請求項１又は２に記載の撮像装置。
【請求項５】
前記制御部は、前記画像撮影動作による撮影結果に基づいて、前記ユーザ操作によって入力された情報におけるフレームレート及び動画期間を有する動画を作成する
請求項１又は２に記載の撮像装置。
【発明の詳細な説明】
【技術分野】
【０００１】
本開示は、タイムラプス動画を作成するためのインターバル撮影を行う撮像装置に関する。
【背景技術】
【０００２】
特許文献１は、撮影対象や撮影状況に応じて、適切にタイムラプス動画の再生を行うことを目的とした撮像装置を開示している。特許文献１の撮像装置は、撮影シーンを選択する撮影シーン選択部と、パラメータ設定部とを備える。パラメータ設定部は、撮影シーン選択部により選択された撮影シーンに応じて、タイムラプス撮影に係る撮影パラメータと、当該撮影パラメータで撮影されたタイムラプス動画の再生に係る再生パラメータとを、各々独立に設定する。このように、撮像装置の内部的に、撮影シーンに応じた再生パラメータを、撮影パラメータとは独立に設定することで、その撮影シーンに合わせた再生を行うことを可能にしている。
【先行技術文献】
【特許文献】
【０００３】
【特許文献１】特開２０１５−５３６７０号公報
【発明の概要】
【発明が解決しようとする課題】
【０００４】
本開示は、タイムラプス動画のような動画を作成するための撮影を行い易くすることができる撮像装置を提供する。
【課題を解決するための手段】
【０００５】
本開示における撮像装置は、撮像部と、制御部と、操作部とを備える。撮像部は、被写体像を撮像して画像データを生成する。制御部は、予め設定された撮影枚数分、撮像部が、予め設定された撮影間隔毎に画像データを生成する画像撮影動作を制御する。操作部は、画像撮影動作の設定に関するユーザの操作を受け付ける。制御部は、操作部において、画像撮影動作の撮影結果から作成される動画のフレームレートと、動画が再生される動画期間と、画像撮影動作が行われる撮影期間又は撮影間隔とを入力するユーザ操作を受け付ける。制御部は、ユーザ操作によって入力された情報に基づいて、撮影枚数及び撮影間隔を設定して画像撮影動作を制御する。
【発明の効果】
【０００６】
本開示における撮像装置によると、タイムラプス動画のような動画を作成するための撮影を行い易くすることができる。
【図面の簡単な説明】
【０００７】
【図１】本開示の実施形態１に係るデジタルカメラの構成を示す図
【図２】デジタルカメラの背面を示した図
【図３】デジタルカメラの動作の概要を説明するための図
【図４】デジタルカメラにおけるインターバル撮影の設定動作を説明するための図
【図５】デジタルカメラの自動計算処理を例示するフローチャート
【図６】インターバル撮影用の設定情報のデータ構造を例示する図
【図７】デジタルカメラにおけるインターバル撮影の開始時刻の設定を説明するための図
【図８】デジタルカメラのインターバル撮影動作を例示するフローチャート
【図９】タイムラプス動画作成の確認画面の表示例を示す図
【図１０】実施形態２におけるインターバル撮影の設定動作を説明するための図
【図１１】実施形態２におけるインターバル撮影の設定動作の補正処理を例示するフローチャート
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。なお、発明者は、当業者が本開示を十分に理解するために添付図面および以下の説明を提供するのであって、これらによって特許請求の範囲に記載の主題を限定することを意図するものではない。
【０００９】
（実施形態１）
実施形態１では、本開示に係る撮像装置の一例としてのデジタルカメラについて説明する。
【００１０】
１．構成
実施形態１に係るデジタルカメラの構成について、図１を用いて説明する。
【００１１】
図１は、本実施形態に係るデジタルカメラ１００の構成を示す図である。本実施形態のデジタルカメラ１００は、イメージセンサ１１５と、画像処理エンジン１２０と、表示モニタ１３０と、制御部１３５とを備える。さらに、デジタルカメラ１００は、バッファメモリ１２５と、カードスロット１４０と、フラッシュメモリ１４５と、操作部１５０とを備える。
【００１２】
また、デジタルカメラ１００は、例えば光学系１１０及びレンズ駆動部１１２を備える。光学系１１０及びレンズ駆動部１１２は、デジタルカメラ１００本体に対して着脱可能な交換レンズを構成してもよい。
【００１３】
光学系１１０は、フォーカスレンズ、ズームレンズ、光学式手ぶれ補正レンズ（ＯＩＳ）、絞り、シャッタ等を含む。フォーカスレンズは、イメージセンサ１１５上に形成される被写体像のフォーカス状態を変化させるためのレンズである。ズームレンズは、光学系で形成される被写体像の倍率を変化させるためのレンズである。フォーカスレンズ等は、それぞれ１枚又は複数枚のレンズで構成される。
【００１４】
レンズ駆動部１１２は、光学系１１０におけるフォーカスレンズ等を駆動する。レンズ駆動部１１２はモータを含み、制御部１３５の制御に基づいてフォーカスレンズを光学系１１０の光軸に沿って移動させる。レンズ駆動部１１２においてフォーカスレンズを駆動する構成は、ＤＣモータ、ステッピングモータ、サーボモータ、または超音波モータなどで実現できる。
【００１５】
イメージセンサ１１５は、光学系１１０を介して形成された被写体像を撮像して、撮像データを生成する。撮像データは、イメージセンサ１１５による撮像画像を示す画像データを構成する。イメージセンサ１１５は、所定のフレームレート（例えば、３０フレーム／秒）で新しいフレームの画像データを生成する。イメージセンサ１１５における、撮像データの生成タイミングおよび電子シャッタ動作は、制御部１３５によって制御される。イメージセンサ１１５は、ＣＭＯＳイメージセンサ、ＣＣＤイメージセンサ、またはＮＭＯＳイメージセンサなど、種々のイメージセンサを用いることができる。
【００１６】
イメージセンサ１１５は、静止画像の撮像動作、スルー画像の撮像動作等を実行する。スルー画像は主に動画像であり、ユーザが静止画像の撮像のための構図を決めるために表示モニタ１３０に表示される。スルー画像及び静止画像は、それぞれ本実施形態における撮像画像の一例である。イメージセンサ１１５は、本実施形態における撮像部の一例である。
【００１７】
画像処理エンジン１２０は、イメージセンサ１１５から出力された撮像データに対して各種の処理を施して画像データを生成したり、画像データに各種の処理を施して、表示モニタ１３０に表示するための画像を生成したりする。各種処理としては、ホワイトバランス補正、ガンマ補正、ＹＣ変換処理、電子ズーム処理、圧縮処理、伸張処理等が挙げられるが、これらに限定されない。画像処理エンジン１２０は、ハードワイヤードな電子回路で構成してもよいし、プログラムを用いたマイクロコンピュータ、プロセッサなどで構成してもよい。
【００１８】
表示モニタ１３０は、種々の情報を表示する表示部の一例である。例えば、表示モニタ１３０は、イメージセンサ１１５で撮像され、画像処理エンジン１２０で画像処理された画像データが示す画像（スルー画像）を表示する。また、表示モニタ１３０は、ユーザがデジタルカメラ１００に対して種々の設定を行うためのメニュー画面等を表示する。表示モニタ１３０は、例えば、液晶ディスプレイデバイスまたは有機ＥＬデバイスで構成できる。
【００１９】
操作部１５０は、ユーザからの操作（指示）を受け付けるユーザインタフェースの総称である。操作部１５０は、例えば物理的なボタン、レバー、ダイヤル、タッチパネル、スイッチ等を含む。また、操作部１５０は、表示モニタ１３０上に表示される仮想的なボタンやアイコンも含む。操作部１５０の具体例については後述する。
【００２０】
制御部１３５は、デジタルカメラ１００全体の動作を統括制御するハードウェアコントローラである。制御部１３５はＣＰＵ等を含み、ＣＰＵがプログラム（ソフトウェア）を実行することで所定の機能を実現する。制御部１３５は、ＣＰＵに代えて、所定の機能を実現するように設計された専用の電子回路で構成されるプロセッサを含んでもよい。すなわち、制御部１３５は、ＣＰＵ、ＭＰＵ、ＧＰＵ、ＤＳＵ、ＦＰＧＡ、ＡＳＩＣ等の種々のプロセッサで実現できる。制御部１３５は１つまたは複数のプロセッサで構成してもよい。また、制御部１３５は、画像処理エンジン１２０などと共に１つの半導体チップで構成してもよい。
【００２１】
バッファメモリ１２５は、画像処理エンジン１２０や制御部１３５のワークメモリとして機能する記録媒体である。バッファメモリ１２５は、ＤＲＡＭ（Ｄｙｎａｍｉｃ Ｒａｎｄｏｍ Ａｃｃｅｓｓ Ｍｅｍｏｒｙ）などにより実現される。フラッシュメモリ１４５は不揮発性の記録媒体である。各メモリ１４５，１２５は、それぞれ本実施形態における記憶部の一例である。
【００２２】
カードスロット１４０は、着脱可能なメモリカード１４２が挿入される手段である。カードスロット１４０は、メモリカード１４２を電気的及び機械的に接続可能である。メモリカード１４２は、内部にフラッシュメモリ等の記録素子を備えた外部メモリである。メモリカード１４２は、画像処理エンジン１２０で生成される画像データなどのデータを格納できる。
【００２３】
１−１．操作部について
操作部１５０の具体例を、図２を用いて説明する。図２は、デジタルカメラ１００の背面を示した図である。
【００２４】
図２では、操作部１５０の例として、レリーズボタン１５１、選択ボタン１５２、タッチパネル１５５、複数の押しボタン１５６，１５７、及びダイヤル１５８が示されている。操作部１５０は、ユーザによる操作を受け付けると、制御部１３５に種々の指示信号を送信する。
【００２５】
レリーズボタン１５１は、二段押下式のボタンである。レリーズボタン１５１がユーザにより半押し操作されると、制御部１３５はオートフォーカス制御（ＡＦ制御）やオート露出制御（ＡＥ制御）などを実行する。また、レリーズボタン１５１がユーザにより全押し操作されると、制御部１３５は、押下操作のタイミングに撮像された画像データを記録画像としてメモリカード１４２等に記録する。
【００２６】
選択ボタン１５２は、上下左右方向に設けられた押下式ボタン及び中央に設けられた押下式ボタンを含む。ユーザは、上下左右方向のいずれかの選択ボタン１５２を押下することにより、表示モニタ１３０に表示される各種条件項目を選択したり、カーソルを移動したりすることができる。デジタルカメラ１が撮影モードあるいは再生モードにあるときに、選択ボタン１５２における中央のボタンがユーザにより押下されると、制御部１３５は表示モニタ１３０にメニュー画面を表示する。メニュー画面は、撮影／再生のための各種条件を設定するための画面である。中央のボタンが各種条件の設定項目が選択されているときに押下されると、制御部１３５は、選択された項目の設定を確定する。
【００２７】
タッチパネル１５５は、表示モニタ１３０の表示画面と重畳して配置され、ユーザの指による表示画面上へのタッチ操作を検出する。これにより、ユーザは、表示モニタ１３０に表示された画像に対する領域の指定、メニュー画面上の各種選択等の操作を行える。
【００２８】
ダイヤル１５８は、回転式の操作部材である。ダイヤル１５８は、デジタルカメラ１００における各種モードの設定に利用可能である。
【００２９】
２．動作
以上のように構成されるデジタルカメラ１００の動作について、以下説明する。
【００３０】
２−１．動作の概要
本実施形態のデジタルカメラ１００は、間欠的に画像の撮影を繰り返すインターバル撮影を行って、撮影結果からタイムラプス動画２０を作成する機能を有する。このようなデジタルカメラ１００の動作の概要を、図３を用いて説明する。
【００３１】
図３（Ａ）は、デジタルカメラ１００によるインターバル撮影を説明するための図である。図３（Ｂ）は、図３（Ａ）のインターバル撮影に基づくタイムラプス動画２０を説明するための図である。
【００３２】
本実施形態のデジタルカメラ１００は、図３（Ａ）に示すように、インターバル撮影の動作時に、予め設定された撮影枚数Ｎの分だけ、画像撮影を撮影間隔ΔＴ毎に実行する。撮影間隔ΔＴは、予め設定された時間間隔である。こうしたインターバル撮影動作は、本実施形態のデジタルカメラ１００における画像撮影動作の一例である。
【００３３】
タイムラプス動画２０は、図３（Ｂ）に示すように、インターバル撮影動作が実行された期間すなわち撮影期間Ｔ１における時間の経過を示すように撮影結果の画像から作成される動画である。タイムラプス動画２０は、動画として再生される期間すなわち動画期間Ｔ２及び動画のフレームレートＦを有する。
【００３４】
デジタルカメラ１００は、例えばユーザが撮影間隔ΔＴ及び撮影枚数Ｎを設定すると、その設定にしたがってインターバル撮影を実行できる。しかしながら、このようなインターバル撮影の詳細設定は、例えばプロカメラマンのようなユーザであっても煩雑になる場合が考えられる。
【００３５】
例えば、ユーザは所望の撮影期間Ｔ１分のインターバル撮影において、撮影結果としてタイムラプス動画２０が所望の動画フレームレートＦ及び動画期間Ｔ２で得られるような撮影を行いたい場合がある。こうした場合としては、例えばインターバル撮影を利用するユーザの目的が映像作品を提供することにあり、映像作品のフォーマットとして動画フレームレートＦ等が、予め指定されている場合が想定される。
【００３６】
上記のような場合に、従来のデジタルカメラでは、ユーザがインターバル撮影前に都度、所望の動画フレームレートＦ等を結果的に得られる撮影間隔ΔＴ等の設定値を逆算するといった煩雑な事態を生じてしまう。このように、従来技術では、ユーザが所望のタイムラプス動画２０を作成する観点からインターバル撮影を利用し難いという問題があった。
【００３７】
そこで、本実施形態では、デジタルカメラ１００において、ユーザが、撮影枚数Ｎ及び撮影間隔ΔＴを直接設定する代わりに、タイムラプス動画２０のための動画フレームレートＦ及び動画期間Ｔ２、並びに撮影期間Ｔ１を入力可能なユーザインタフェースを提供する。こうした入力値に応じて、本実施形態のデジタルカメラ１００は、入力値が結果として得られるような撮影間隔ΔＴ及び撮影枚数Ｎを自動で計算して、インターバル撮影の設定を行う。これにより、ユーザが所望のタイムラプス動画２０を作成する際に、デジタルカメラ１００のインターバル撮影を利用し易くすることができる。
【００３８】
２−２．インターバル撮影の設定動作
本実施形態のデジタルカメラ１００においてインターバル撮影の設定を行う動作について、図４を用いて説明する。図４は、デジタルカメラ１００におけるインターバル撮影の設定動作を説明するための図である。
【００３９】
図４（Ａ）は、デジタルカメラ１００におけるインターバル撮影の設定メニュー画面の表示例を示す。デジタルカメラ１００の制御部１３５は、インターバル撮影の設定メニューにおいて、設定可能なメニュー項目を表示モニタ１３０に表示させる。本表示例において、表示モニタ１３０は、上記設定可能なメニュー項目として「撮影枚数」、「撮影間隔」及び「開始時刻」と、各々の現在の設定値とを表示している。制御部１３５は、例えばバッファメモリ１２５において各設定値を管理する。
【００４０】
図４（Ａ）の表示例では更に、表示モニタ１３０は、制御部１３５の制御により、現在の設定値に応じた終了予定の日時、及びリターンボタン３０を表示している。リターンボタン３０は、現在のメニュー画面から、上位の階層のメニュー画面、又はライブビュー等に戻るためのユーザ操作を受け付ける。
【００４１】
デジタルカメラ１００の制御部１３５は、図４（Ａ）に例示するような設定メニュー画面において、操作部１５０を介して各メニュー項目を選択することにより、各々の設定値を変更するためのユーザ操作を受け付ける。例えば、メニュー項目「撮影枚数」が選択されたときに、表示モニタ１３０が図４（Ａ）から遷移する詳細設定画面を、図４（Ｂ）に例示する。
【００４２】
図４（Ｂ）の表示例において、制御部１３５の制御により表示モニタ１３０に表示された詳細設定画面は、撮影枚数Ｎの設定欄３１と、撮影間隔ΔＴの設定欄３２と、変更キー３３とを含む。制御部１３５は、各設定欄３１，３２において、撮影枚数Ｎ又は撮影間隔ΔＴの設定値を変更するユーザ操作を受け付ける。撮影枚数Ｎの設定値は、例えば１枚単位で変更可能である。撮影間隔ΔＴの設定値は、例えば１秒単位及び１分単位で変更可能である。
【００４３】
図４（Ｂ）に例示する詳細設定画面において、表示モニタ１３０は、さらに、決定ボタン３４と、計算ボタン３５と、リターンボタン３０と、終了予定の日時とを表示する。ユーザは、例えば各設定欄３１，３２において撮影枚数Ｎ及び撮影間隔ΔＴを所望の設定値に変更してから、決定ボタン３４を操作する。すると、デジタルカメラ１００の制御部１３５は、決定ボタン３４の操作時に各設定欄３１，３２に表示させた各設定値を、インターバル撮影時に用いる設定情報としてバッファメモリ１２５等に記録する。
【００４４】
以上のような詳細設定画面（図４（Ｂ））のユーザ操作は、例えばタッチパネル１５５のタッチ操作、或いは選択ボタン１５２の押下操作等で実装できる。図４（Ｂ）の画面において撮影枚数Ｎ及び時間間隔ΔＴを設定する各構成は、それぞれ本実施形態における設定部の一例である。
【００４５】
本実施形態では、上記のようなインターバル撮影の詳細設定を行う設定メニューに、計算ボタン３５を組み込む形態で、デジタルカメラ１００が、タイムラプス動画２０に関するユーザ入力から上記詳細設定をアシストするユーザインタフェースを提供する。計算ボタン３５が操作されたときに図４（Ｂ）から遷移する情報入力画面を、図４（Ｃ）に例示する。
【００４６】
図４（Ｃ）の表示例において、表示モニタ１３０は、制御部１３５の制御により、ユーザ入力を受け付ける情報項目４０として「動画フレームレート」、「動画期間」及び「撮影期間」と、各情報項目４０における入力値とを表示している。制御部１３５は、上記各情報項目４０の入力値に基づいて、インターバル撮影の設定値を自動的に計算する処理すなわち自動計算処理を行う。
【００４７】
図４（Ｃ）に例示する情報入力画面において、表示モニタ１３０は、自動計算処理における暫定的な計算結果を示す計算欄４１と、決定ボタン４２と、リターンボタン３０とを表示する。例えば、ユーザは各情報項目４０の入力値として所望の動画フレームレートＦ、動画期間Ｔ２及び撮影期間Ｔ１を入力して、決定ボタン４２を操作する。図４（Ｃ）の決定ボタン４２が操作されたときに遷移する確認画面を、図４（Ｄ）に例示する。
【００４８】
図４（Ｄ）の表示例において、表示モニタ１３０は、制御部１３５の制御により、「以下の設定を反映しますか？」といった確認メッセージと、自動計算処理における最終的な計算結果を示す計算結果欄４３と、はい／いいえボタン４４，４５とを表示している。本実施形態の自動計算処理によると、インターバル撮影の設定値について、ユーザ入力からの計算では端数が生じた場合、自動的に補正が行われる（詳細は後述）。
【００４９】
図４（Ｄ）の確認画面において、ユーザが、はいボタン４４の操作を行うことにより、デジタルカメラ１００は計算結果欄４３に表示した計算結果をインターバル撮影の設定値に反映する。例えば、表示モニタ１３０が図４（Ｂ）の画面に戻り、上記の計算結果が各設定欄３１，３２に自動的に入力される。
【００５０】
以上のような本実施形態におけるデジタルカメラ１００の設定メニューによると、ユーザは、撮影枚数Ｎ及び撮影間隔ΔＴといったインターバル撮影の詳細設定を直接行えると共に、計算ボタン３５によるアシスト機能を利用することができる（図４（Ｂ）参照）。当該機能において、ユーザは、タイムラプス動画２０を作成するための情報を入力することにより、インターバル撮影の詳細設定についての計算結果を得ることができる（図４（Ｃ），（Ｄ）参照）。
【００５１】
２−２−１．自動計算処理
以上のようなデジタルカメラ１００の設定メニューにおいて行われる自動計算処理の詳細を、図５〜６を用いて説明する。図５は、自動計算処理を例示するフローチャートである。
【００５２】
図５のフローチャートに示す処理は、例えば図４（Ｂ）の詳細設定画面における計算ボタン３５の操作が入力されたときに開始し、デジタルカメラ１００の制御部１３５によって実行される。計算ボタン３５の操作は、タッチパネル１５５による画面上の計算ボタン３５のタッチ操作であってもよいし、計算ボタン３５に対応する押しボタン１５６の押下操作等であってもよい。
【００５３】
まず、制御部１３５は、図４（Ｃ）に例示するような情報入力画面を表示モニタ１３０に表示させる（Ｓ１）。ステップＳ１の画面表示において、各情報項目４０の入力値と、計算欄４１における計算値とは、随時更新される。
【００５４】
制御部１３５は、操作部１５０において情報入力画面の各情報項目４０に対するユーザ操作を受け付けて、動画フレームレートＦ、動画期間Ｔ２及び撮影期間Ｔ１の各入力値を取得する（Ｓ２）。動画フレームレートＦの入力値は、例えばｆｐｓ（フレーム毎秒）単位で入力される。動画期間Ｔ２の入力値は、例えば秒及び分単位で入力される。撮影期間Ｔ１の入力値は、例えば秒、分及び時間単位で入力される。
【００５５】
ステップＳ２において、各情報項目４０に対するユーザ操作は、タッチパネル１５５によるタッチ操作であってもよいし、選択ボタン１５２の押下操作等であってもよい。各情報項目４０の入力値が変更される際、制御部１３５は、ユーザ操作に応じて表示モニタ１３０に、図４（Ｃ）に例示する画面において入力値の変更用のポップアップ等を表示させてもよいし、別の画面に遷移させてもよい。
【００５６】
次に、制御部１３５は、取得した動画フレームレートＦ、動画期間Ｔ２及び撮影期間Ｔ１に基づいて、インターバル撮影における撮影枚数Ｎ及び撮影間隔ΔＴを計算する（Ｓ３）。例えば、制御部１３５は、次式（１）のように、動画フレームレートＦの入力値と動画期間Ｔ２の入力値との乗算を演算して、撮影枚数Ｎの計算値を算出する（Ｓ３）。
Ｎ＝Ｆ×Ｔ２    …（１）
【００５７】
又、制御部１３５は、次式（２）のように撮影期間Ｔ１の入力値に対する除算を演算して、撮影間隔ΔＴの計算値を算出する（Ｓ３）。
ΔＴ＝Ｔ１／（Ｆ×Ｔ２）＝Ｔ１／Ｎ    …（２）
【００５８】
上式（２）は除算であることから、撮影間隔ΔＴの計算値には、端数が生じる場合が考えられる。ステップＳ３における計算値は、例えば小数第１位まで等の所定範囲内で算出される。
【００５９】
制御部１３５は、ステップＳ３において、図４（Ｃ）の情報入力画面上で情報項目４０に表示中の入力値に基づいて算出した各計算値を計算欄４１に表示させ、操作部１５０において各種ユーザ操作を受け付ける。制御部１３５は、情報入力画面（図４（Ｃ））の決定ボタン４２の操作が入力されたか否かを判断する（Ｓ４）。決定ボタン４２の操作は、タッチパネル１５５によるタッチ操作であってもよいし、押しボタン１５６の押下操作であってもよい。
【００６０】
例えばユーザが決定ボタン４２の操作でなく、情報項目４０の入力値を変更する操作を行った場合（Ｓ４でＮＯ）、制御部１３５は、新たな入力値についてステップＳ２以降の処理を行う。ステップＳ２〜Ｓ４において、ユーザは、例えば計算欄４１の表示を参考にしながら、各情報項目４０の入力値を調整することができる。
【００６１】
決定ボタン４２の操作が入力された場合（Ｓ４でＹＥＳ）、制御部１３５は、例えばステップＳ３で算出した撮影間隔ΔＴの計算値が、端数を含むか否かを判断する（Ｓ５）。撮影間隔ΔＴの端数の基準は、例えば、図４（Ｂ）の設定欄３２において変更可能な設定値の最小単位である。
【００６２】
撮影間隔ΔＴの計算値が端数を含まない場合（Ｓ５でＮＯ）、制御部１３５は、ステップＳ２，Ｓ３の処理結果に基づいて、図４（Ｄ）に例示するような確認画面を表示モニタ１３０に表示させる（Ｓ６）。この場合（Ｓ５でＮＯ）の確認画面における計算結果欄４３には、ステップＳ３で算出した撮影枚数Ｎと撮影間隔ΔＴの各計算値と、ステップＳ２で取得した撮影期間Ｔ１の入力値とが表示される。
【００６３】
撮影間隔ΔＴの計算値が端数を含む場合（Ｓ５でＹＥＳ）、制御部１３５は、切り捨て等の端数処理により撮影間隔ΔＴを補正する（Ｓ７）。さらに、制御部１３５は、端数処理によって計算値から端数を除いた撮影間隔ΔＴの補正値と整合するように、撮影期間Ｔ１を補正する（Ｓ７）。撮影期間Ｔ１の補正値は、例えば撮影間隔ΔＴの補正値を用いて次式（３）を演算することにより、算出される。
Ｔ１＝ΔＴ×Ｆ×Ｔ２      …（３）
【００６４】
上式（３）によると、例えば撮影間隔ΔＴの端数が切り捨てされたとき、これに応じて撮影期間Ｔ１が短縮される。
【００６５】
上記のような端数に対する補正を行った場合（Ｓ５でＹＥＳ，Ｓ７）、制御部１３５は、図４（Ｄ）に例示したような確認画面の計算結果欄４３において、補正前の撮影間隔ΔＴ及び撮影期間Ｔ１の代わりに、各々の補正値を表示させる（Ｓ６）。ユーザは、撮影間隔ΔＴの端数を相殺するような補正後の撮影期間Ｔ１を、確認画面の計算結果欄４３にて確認することができる。
【００６６】
ステップＳ６の確認画面が表示された状態で、制御部１３５は、操作部１５０において、はいボタン４４又はいいえボタン４５の操作を受け付ける（Ｓ８）。はい／いいえボタン４４，４５の操作は、タッチパネル１５５のタッチ操作であってもよいし、選択ボタン１５２を用いて「はい」と「いいえ」との一方を選択する操作であってもよい。
【００６７】
いいえボタン４５の操作が入力されたとき、即ちはいボタン４４の操作が入力されなかったとき（Ｓ８でＮＯ）、制御部１３５は、表示モニタ１３０の画面表示を確認画面（図４（Ｄ））から情報入力画面（図４（Ｃ））に遷移させる（Ｓ１）。その後、制御部１３５は、ステップＳ２以降の処理を再び行う。
【００６８】
一方、はいボタン４４の操作が入力されたとき（Ｓ８でＹＥＳ）、制御部１３５は、確認画面の計算結果欄４３に表示した撮影枚数Ｎ、撮影間隔ΔＴ及び撮影期間Ｔ１を、インターバル撮影についてのデジタルカメラ１００の設定に反映する（Ｓ９）。
【００６９】
例えば、ステップＳ９において、表示モニタ１３０の画面表示は、制御部１３５の制御により、図４（Ｄ）に例示した確認画面から、図４（Ｂ）に例示した詳細設定画面に遷移する。この際、制御部１３５は、ステップＳ８における計算結果欄４３の撮影枚数Ｎ及び撮影間隔ΔＴにより、詳細設定画面における各設定欄３１，３２の設定値を自動的に更新する（Ｓ９）。又、制御部１３５は、ステップＳ８における計算結果欄４３の撮影期間Ｔ１と、予め設定された開始時刻と、現在の日時とに基づいて、終了予定の日時を算出する。
【００７０】
制御部１３５は、例えば上記のように詳細設定画面（図４（Ｂ））に計算結果を反映した後（Ｓ９）、図５の自動計算処理を終了する。
【００７１】
以上の自動計算処理によると、デジタルカメラ１００は、ユーザがタイムラプス動画２０を作成するための動画フレームレートＦ、動画期間Ｔ２及び撮影期間Ｔ１の所望の入力値を取得して、インターバル撮影の撮影枚数Ｎ及び撮影間隔ΔＴを自動的に計算する（Ｓ２，Ｓ３）。この際、計算結果の端数に応じて、撮影間隔ΔＴ及び撮影期間Ｔ１が自動的に補正される（Ｓ７）。自動計算処理によって得られるインターバル撮影用の設定情報Ｄ１を図６に例示する。
【００７２】
図６に例示する設定情報Ｄ１は、「撮影枚数」と、「撮影間隔」と、「開始時刻」と、「撮影期間」と、「動画フレームレート」と、「動画期間」とを関連付けて管理する。例えば、自動計算処理のステップＳ９後に、ユーザが詳細設定画面（図４（Ｂ））の決定ボタン３４の操作を入力すると、制御部１３５は、設定情報Ｄ１における撮影枚数Ｎと撮影間隔ΔＴとに、自動計算処理の結果の設定値を記録する。この場合、制御部１３５は、設定情報Ｄ１における動画フレームレートＦと、動画期間Ｔ２とに、自動計算処理のステップＳ２で取得した入力値を記録する。又、制御部１３５は、設定情報Ｄ１における撮影期間Ｔ１に、ステップＳ２の入力値又はステップＳ７の補正値を記録する。
【００７３】
上記のステップＳ７の説明では、撮影間隔ΔＴを補正する端数処理として切り捨てを例示した。撮影間隔ΔＴの端数処理は、特に切り捨てに限らず、切り上げであってもよいし、四捨五入であってもよい。又、デジタルカメラ１００は、例えば式（２）による撮影間隔ΔＴの計算値が平均値となるように、インターバル撮影動作の中で撮影間隔ΔＴを変化させる設定を行ってもよい。
【００７４】
上記のステップＳ９の説明では、制御部１３５が、計算結果の撮影枚数Ｎ、撮影間隔ΔＴ及び撮影期間Ｔ１を、図４（Ｂ）の詳細設定画面に反映する例を説明したが、計算結果の反映方法は特にこれに限定されない。例えば、ステップＳ９において、制御部１３５は、図４（Ｂ）の詳細設定画面を介さずに、上述したような設定情報Ｄ１の記録を行ってもよい。この場合、表示モニタ１３０は、自動計算処理後に図４（Ａ）の設定メニュー画面に遷移してもよい。
【００７５】
２−２−２．インターバル撮影の開始時刻
デジタルカメラ１００におけるインターバル撮影の開始時刻を設定する方法について、図７を用いて説明する。
【００７６】
図７（Ａ）は、図４（Ａ）と同様の設定メニュー画面において、メニュー項目「開始時刻」を選択中の状態を例示する。デジタルカメラ１００の制御部１３５は、当該メニュー項目を選択するユーザ操作に応じて、図７（Ａ）から表示モニタ１３０の画面表示を図７（Ｂ）の設定画面に遷移させる。
【００７７】
図７（Ｂ）に例示する設定画面において、制御部１３５は表示モニタ１３０に、ユーザ操作により選択させる２つの選択肢「即時開始」及び「開始時刻設定」を表示させている。「即時開始」は、例えばレリーズボタン１５１を操作すると即時、インターバル撮影動作を開始する選択肢である。「開始時刻設定」は、予め設定した開始時刻に到るとインターバル撮影動作を開始する選択肢である。後者の選択肢が選択されたときに図７（Ｂ）から遷移する詳細設定画面の表示例を図７（Ｃ）に例示する。
【００７８】
図７（Ｃ）の表示例において、表示モニタ１３０に表示された詳細設定画面は、開始時刻の設定欄３６と、変更キー３３と、決定ボタン３４とを含む。制御部１３５は、この設定欄３６において、開始時刻の設定値を指定するユーザ操作を受け付ける。ユーザが決定ボタン３４を操作すると、制御部１３５は、インターバル撮影用の設定情報Ｄ１（図６）Ｄ１における開始時刻に、設定欄３６に表示した設定値を記録する。なお、上記の前者の選択肢が選択された場合、当該設定情報Ｄ１の開始時刻として「即時開始」を示す情報が記録される。
【００７９】
２−３．インターバル撮影動作
以上のような各種設定に基づいて行われるデジタルカメラ１００のインターバル撮影動作の一例を、図８〜９を用いて説明する。図８は、デジタルカメラ１００のインターバル撮影動作を例示するフローチャートである。
【００８０】
図８のフローチャートに示す処理は、例えばデジタルカメラ１００の撮影モードがインターバル撮影用のモードに設定されたときに開始する。以下では、図６に例示したインターバル撮影用の設定情報Ｄ１が予め格納された場合の動作例を説明する。
【００８１】
まず、デジタルカメラ１００の制御部１３５は、インターバル撮影用の設定情報Ｄ１を参照して、現在時刻が、設定情報Ｄ１の開始時刻であるか否かを判断する（Ｓ２１）。なお、設定情報Ｄ１の開始時刻が「即時開始」である場合、ステップＳ２１の判断は、レリーズボタン１５１により撮影開始の操作が行われたか否かに応じて行われる。
【００８２】
インターバル撮影動作の開始時刻になったとき（Ｓ２１でＹＥＳ）、制御部１３５は、例えば１枚の画像撮影を実行する（Ｓ２２）。例えば、制御部１３５は、イメージセンサ１１５に、静止画の撮像動作を実行させて、生成されるＲＡＷデータ等の画像データを、例えばバッファメモリ１２５に記録する。ステップＳ２２において画像データはメモリカード１４２に記録されてもよい。
【００８３】
制御部１３５は、インターバル撮影用の設定情報Ｄ１を参照して、撮影した画像データの枚数が、設定情報Ｄ１に設定された撮影枚数Ｎに到ったか否かを判断する（Ｓ２３）。
【００８４】
撮影した枚数が、設定情報Ｄ１の撮影枚数Ｎに到っていないとき（Ｓ２３でＮＯ）、制御部１３５は、ステップＳ２２の撮影時から、設定情報Ｄ１の撮影間隔ΔＴが経過するまで待機する（Ｓ２４）。この際、制御部１３５は適宜、デジタルカメラ１００をスリープモード等に制御してもよい。
【００８５】
その後、制御部１３５は、撮影間隔ΔＴだけ待機してから（Ｓ２４）、再び１枚の画像撮影を行う（Ｓ２２）。制御部１３５は、撮影した枚数が設定情報Ｄ１の撮影枚数Ｎに到るまで、ステップＳ２２〜Ｓ２４の処理を繰り返す。
【００８６】
撮影した枚数が設定情報Ｄ１の撮影枚数Ｎに到達すると（Ｓ２３でＹＥＳ）、制御部１３５は、例えば、タイムラプス動画２０の作成についての確認画面を表示モニタ１３０に表示させる（Ｓ２５）。ステップＳ２５の表示例を図９に例示する。
【００８７】
図９の表示例において、表示モニタ１３０に表示される確認画面は、「今すぐ動画を作成しますか？」といった確認メッセージと、はい／いいえボタン５１，５２とを含む。制御部１３５は、当該画面の表示時に、操作部１５０においてはい／いいえボタン５１，５２のユーザ操作を受け付ける（Ｓ２６）。
【００８８】
はいボタン５１の操作が入力されたとき（Ｓ２６でＹＥＳ）、制御部１３５は、設定情報Ｄ１における動画フレームレートＦ及び動画期間Ｔ２に基づいて、撮影結果の画像データからタイムラプス動画２０を作成する（Ｓ２７）。制御部１３５は、作成したタイムラプス動画２０をメモリカード１４２に記録して、本フローチャートに示す処理を終了する。
【００８９】
一方、いいえボタン５２の操作が入力されたとき、即ちはいボタン５１の操作が入力されなかったとき（Ｓ２６でＮＯ）、制御部１３５は、タイムラプス動画２０の作成（Ｓ２７）を行わずに、本フローチャートに示す処理を終了する。この際、制御部１３５は、例えばステップＳ２１〜Ｓ２５において撮影されたＮ枚の画像データと、設定情報Ｄ１の動画フレームレートＦ及び動画期間Ｔ２とを関連付けて、メモリカード１４２に記録してもよい。
【００９０】
以上のインターバル撮影動作によると、インターバル撮影の設定メニューにおいて設定された開始時刻、撮影枚数Ｎ及び撮影間隔ΔＴに従って、インターバル撮影が行われる（Ｓ２１〜Ｓ２４）。本動作例では、タイムラプス動画２０が、Ｎ枚の画像撮影後に行われる（Ｓ２７）。ユーザは、タイムラプス動画２０の作成を撮影直後に行うかどうかを選択することができる（Ｓ２６）。
【００９１】
以上の動作例では、タイムラプス動画２０が、Ｎ枚の画像データの撮影後に行われる例を説明したが、本実施形態のデジタルカメラ１００は、これに限定されない。例えば、本実施形態のデジタルカメラ１００は、Ｎ枚の画像撮影（Ｓ２２〜Ｓ２４）中に、タイムラプス動画２０を作成してもよい。例えば、制御部１３５は、１枚の画像撮影（Ｓ２２）を行う毎に、得られた画像データに対して動画のエンコードを逐次、行ってもよい。
【００９２】
３．まとめ
以上のように、本実施形態における撮像装置の一例であるデジタルカメラ１００は、撮像部の一例であるイメージセンサ１１５と、制御部１３５と、操作部１５０とを備える。イメージセンサ１１５は、被写体像を撮像して画像データを生成する。制御部１３５は、予め設定された撮影枚数Ｎ分、イメージセンサ１１５が、予め設定された撮影間隔ΔＴ毎に画像データを生成する画像撮影動作の一例であるインターバル撮影動作を制御する。操作部１５０は、インターバル撮影動作の設定に関するユーザの操作を受け付ける。制御部１３５は、操作部１５０において、インターバル撮影動作の撮影結果から作成される動画の一例であるタイムラプス動画２０の動画フレームレートＦと、タイムラプス動画２０が再生される動画期間Ｔ２と、インターバル撮影動作が行われる撮影期間Ｔ１又は撮影間隔ΔＴとを入力するユーザ操作を受け付ける。制御部１３５は、ユーザ操作によって入力された情報に基づいて、撮影枚数Ｎ及び撮影間隔ΔＴを設定してインターバル撮影動作を制御する。
【００９３】
以上のデジタルカメラ１００によると、ユーザは、撮影枚数Ｎ及び撮影間隔ΔＴを直接設定する代わりに、タイムラプス動画２０について所望の動画フレームレートＦ、動画期間Ｔ２及び撮影期間Ｔ１を入力できる。これにより、タイムラプス動画のような動画を作成するための撮影を行い易くすることができる。
【００９４】
本実施形態において、撮影枚数Ｎは、ユーザ操作によって入力された情報における動画フレームレートＦと動画期間Ｔ２との乗算により算出される。デジタルカメラ１００は、ユーザ入力の情報に基づいて、対応する撮影枚数Ｎを自動計算することができる。
【００９５】
本実施形態において、制御部１３５は、操作部１５０において、動画フレームレートＦと、動画期間Ｔ２と、撮影期間Ｔ１とを入力するユーザ操作を受け付ける。撮影間隔ΔＴは、ユーザ操作によって入力された情報における動画フレームレートＦ、動画期間Ｔ２及び撮影期間Ｔ１から算出される。デジタルカメラ１００は、ユーザ入力の情報に基づいて、対応する撮影間隔ΔＴを自動計算することができる。
【００９６】
本実施形態において、制御部１３５は、算出される撮影間隔ΔＴに端数がある場合（Ｓ５でＹＥＳ）、撮影間隔ΔＴの端数に応じて撮影期間Ｔ１を補正する（Ｓ７）。本実施形態のデジタルカメラ１００によると、ユーザ入力の撮影期間Ｔ１を自動的に補正することができる。
【００９７】
本実施形態のデジタルカメラ１００において、操作部１５０は、ユーザ操作により撮影枚数Ｎおよび撮影間隔ΔＴを設定する設定欄３１，３２等の設定部を含む（図４（Ｂ）参照）。制御部１３５は、動画フレームレートＦと、動画期間Ｔ２と、撮影期間Ｔ１とを入力するユーザ操作を受け付けると、ユーザ操作によって入力された情報を、設定部の設定に反映する（Ｓ９）。ユーザは、撮影枚数Ｎおよび撮影間隔ΔＴを直接設定してもよいし、タイムラプス動画２０に関する情報の入力により設定に反映させてもよい。
【００９８】
本実施形態のデジタルカメラ１００は、情報を表示する表示部の一例である表示モニタ１３０をさらに備える。制御部１３５は、動画フレームレートＦと、動画期間Ｔ２と、撮影期間Ｔ１とを入力するユーザ操作を受け付けると、ユーザ操作によって入力された情報から算出される撮影枚数Ｎ及び撮影期間Ｔ１を、表示モニタ１３０に表示させる（図４（Ｃ）参照）。これにより、ユーザは、入力値に応じたデジタルカメラ１００による計算結果を確認することができる。
【００９９】
本実施形態のデジタルカメラ１００において、制御部１３５は、インターバル撮影動作による撮影結果に基づいて、ユーザ操作によって入力された情報におけるフレームレートＦ及び動画期間Ｔ２を有するタイムラプス動画２０を作成する（Ｓ２７）。こうしたタイムラプス動画２０の作成は、インターバル撮影動作の実行後に行われてもよいし、実行中に行われてもよい。
【０１００】
（実施形態２）
上記の実施形態１では、デジタルカメラ１００におけるインターバル撮影の設定動作において、撮影間隔ΔＴの端数に応じて撮影期間Ｔ１のみを補正する方法を例示したが、撮影設定値の補正方法はこれに限定されない。実施形態２では、実施形態１とは別の撮影設定値の補正の方法について、図１０〜１１を用いて説明する。
【０１０１】
以下、実施形態１に係るデジタルカメラ１００と同様の構成、動作の説明は適宜、省略して、本実施形態に係るデジタルカメラ１００を説明する。
【０１０２】
図１０は、実施形態２におけるインターバル撮影の設定動作を説明するための図である。図１１は、本実施形態におけるインターバル撮影の設定動作の補正処理を例示するフローチャートである。図１０（Ａ）〜（Ｃ）は、それぞれ図４（Ａ）〜（Ｃ）と同様の各種画面を例示する。図１０（Ｄ）は、本実施形態における補正結果の確認画面を例示する。
【０１０３】
上記の実施形態１の設定動作では、ユーザが入力した撮影期間Ｔ１が自動計算処理の補正（図５のＳ７）によって大幅に変更されてしまう場合が考えられる（図４（Ｃ），（Ｄ）参照）。そこで、本実施形態では、ユーザが入力した撮影期間Ｔ１をできる限り、変更しないようにする補正処理を採用する。
【０１０４】
本実施形態において、デジタルカメラ１００の制御部１３５は、実施形態１と同様に図５のステップＳ１〜Ｓ９の処理を行う際に、ステップＳ７において、図１１に示す補正処理を実行する。即ち、図１１のフローチャートに示す各処理は、図５のステップＳ５で、撮影間隔ΔＴの計算値が端数を含む場合（Ｓ５でＹＥＳ）に実行される。
【０１０５】
まず、撮影間隔ΔＴの端数について、制御部１３５は、例えば小数点以下を切り捨てる端数処理を行って、撮影間隔ΔＴを補正する（Ｓ１０１）。ステップＳ１０１において確定される撮影間隔ΔＴの補正値を以下、「ΔＴ１００」とする。次に、制御部１３５は、ステップＳ１０１の補正した撮影間隔ΔＴ１００に基づいて、次式（２１）のように撮影枚数Ｎ２を計算する（Ｓ１０２）。
Ｎ２＝Ｔ１／ΔＴ１００    …（２１）
【０１０６】
制御部１３５は、例えば上式（２１）から算出された撮影枚数Ｎ２に端数があるか否かを判断する（Ｓ１０３）。撮影枚数Ｎ２に端数がない場合（Ｓ１０３でＮＯ）、制御部１３５は、ステップＳ１０２で算出した撮影枚数Ｎ２を補正値として確定する（Ｓ１０４）。
【０１０７】
一方、制御部１３５は、撮影枚数Ｎ２に端数があれば（Ｓ１０３でＹＥＳ）、端数処理によってさらに補正する（Ｓ１０５）。ステップＳ１０５の端数処理は、例えば小数点以下の切り上げである。ステップＳ１０５において確定される、撮影枚数の補正値を「Ｎ３」とする。
【０１０８】
最後に、制御部１３５は、上記のように確定された、撮影枚数Ｎ３と、撮影間隔ΔＴ１００とに基づいて、次式（２２）のように補正結果の撮影期間Ｔ１００を計算する（Ｓ１０６）。
Ｔ１００＝Ｎ３×ΔＴ１００    …（２２）
【０１０９】
制御部１３５は、ステップＳ１０４又はＳ１０６において得られた補正結果に基づいて、例えば図１１のステップＳ６以降の処理を行う。
【０１１０】
以上の処理によると、撮影間隔の端数に応じて撮影枚数を補正することにより（Ｓ１０１）、ユーザが入力した撮影期間をできる限り変更せずに、撮影設定を完了できる。例えば図１０（Ｄ）に示すように、撮影期間だけを補正する場合よりも（図４（Ｄ）参照）、撮影期間が変更される幅を低減することができる。
【０１１１】
以上のように、本実施形態において、デジタルカメラ１００の制御部１３５は、算出される撮影間隔に端数がある場合（Ｓ５でＹＥＳ）、撮影間隔の端数に応じて撮影枚数を補正する（Ｓ１０１）。制御部１３５は、この際に算出される撮影枚数の端数に応じて、撮影期間を補正してもよい（Ｓ１０６）。こうした補正によると、ユーザが入力した撮影期間から変更される幅を低減でき、ユーザの意図を反映し易い。
【０１１２】
（他の実施形態）
以上のように、本出願において開示する技術の例示として、実施形態１，２を説明した。しかしながら、本開示における技術は、これに限定されず、適宜、変更、置換、付加、省略などを行った実施の形態にも適用可能である。また、上記実施形態１，２で説明した各構成要素を組み合わせて、新たな実施の形態とすることも可能である。そこで、以下、他の実施形態を例示する。
【０１１３】
上記の実施形態１，２では、デジタルカメラ１００が、動画フレームレートＦと、動画期間Ｔ２と、撮影期間Ｔ１とを入力するユーザ操作を受け付ける例を説明した。本実施形態において、デジタルカメラ１００は、上記の撮影期間Ｔ１の代わりに、撮影間隔ΔＴを入力するユーザ操作を受け付けてもよい。例えば、ユーザがタイムラプス動画２０を作成するにあたり、所望の撮影間隔ΔＴがある一方で、撮影期間Ｔ１には特に要望がない場合が考えられる。この場合においても、デジタルカメラ１００は、ユーザ入力の情報に基づき、実施形態１と同様に撮影枚数Ｎを計算でき、撮影枚数Ｎ及び撮影間隔ΔＴを自動設定できる。又、本実施形態のデジタルカメラ１００は、上記ユーザ入力の情報に基づき、撮影期間Ｔ１を計算してもよい。
【０１１４】
上記の各実施形態では、デジタルカメラ１００がインターバル撮影動作の撮影結果に基づいて、タイムラプス動画２０を作成する例を説明した。本実施形態において、タイムラプス動画２０の作成は、デジタルカメラ１００のような撮像装置において行われなくてもよく、例えばパーソナルコンピュータなど、撮像装置の外部の情報機器において行われてもよい。
【０１１５】
また、上記の各実施形態では、光学系１１０及びレンズ駆動部１１２を備えるデジタルカメラ１００を例示した。本実施形態の撮像装置は、光学系１１０及びレンズ駆動部１１２を備えなくてもよく、例えば交換レンズ式のカメラであってもよい。
【０１１６】
また、上記の各実施形態では、撮像装置の例としてデジタルカメラを説明したが、これに限定されない。本開示の撮像装置は、画像撮影機能を有する電子機器（例えば、ビデオカメラ、スマートフォン、タブレット端末等）であればよい。
【０１１７】
以上のように、本開示における技術の例示として、実施の形態を説明した。そのために、添付図面および詳細な説明を提供した。
【０１１８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１９】
また、上述の実施の形態は、本開示における技術を例示するためのものであるから、特許請求の範囲またはその均等の範囲において種々の変更、置換、付加、省略などを行うことができる。
【産業上の利用可能性】
【０１２０】
本開示は、タイムラプス動画を作成するための撮影動作を行う各種の撮像装置に適用可能である。
【符号の説明】
【０１２１】
１００    デジタルカメラ
１１５    イメージセンサ
１２５    バッファメモリ
１３５    制御部
１４５    フラッシュメモリ
１５０    操作部
【要約】
【課題】タイムラプス動画のような動画を作成するための撮影を行い易くすることができる撮像装置を提供する。
【解決手段】撮像装置（１００）は、撮像部（１１５）と、制御部（１３５）と、操作部（１５０）とを備える。撮像部は、被写体像を撮像して画像データを生成する。制御部は、予め設定された撮影枚数（Ｎ）分、撮像部が、予め設定された撮影間隔（ΔＴ）毎に画像データを生成する画像撮影動作を制御する。操作部は、画像撮影動作の設定に関するユーザの操作を受け付ける。制御部は、操作部において、画像撮影動作の撮影結果から作成される動画のフレームレート（Ｆ）と、動画が再生される動画期間（Ｔ２）と、画像撮影動作が行われる撮影期間（Ｔ１）又は撮影間隔とを入力するユーザ操作を受け付ける。制御部は、ユーザ操作によって入力された情報に基づいて、撮影枚数及び撮影間隔を設定して画像撮影動作を制御する。
【選択図】図３【図１】
0006872727.tif 000002
【図２】
0006872727.tif 000003
【図３】
0006872727.tif 000004
【図４】
0006872727.tif 000005
【図５】
0006872727.tif 000006
【図６】
0006872727.tif 000007
【図７】
0006872727.tif 000008
【図８】
0006872727.tif 000009
【図９】
0006872727.tif 000010
【図１０】
0006872727.tif 000011
【図１１】
0006872727.tif 000012